(57)【特許請求の範囲】
【請求項１】
内側にタイトフレームの頂部が当接して、タイトフレーム上を滑らせつつ移動させることができるコの字状のスライド金物をネット取付治具として使用し、タイトフレームは地上で梁に先行取付けし、その際、梁の揚重用吊りピースがはみ出さない様にタイトフレームを設置し、該ネット取付治具に設けた押しピースを介してネットをネット取付治具間に張設することを特徴とする移動式安全ネットの設置方法。
【請求項２】
スライド金物は、先端部を外側に折り曲げて開かれた形状とする請求項１記載の移動式安全ネットの設置方法。
【請求項３】
スライド金物の側面部に、ネットを張るための屈曲棒による回転アームを突出するように取り付けた請求項１または請求項２に記載の移動式安全ネットの設置方法。
【請求項４】
押しピースに着脱自在に掛止する先端を有する棒状部材を移動治具として、スライド金物に係合させる請求項１ないし請求項３のいずれかに記載の移動式安全ネットの設置方法。
【発明の詳細な説明】
【技術分野】
【０００１】
本発明は、建物の梁上に折板による屋根葺工事を行う際に使用される安全ネットで、屋根葺作業中に順次梁の長さ方向に移動し得るようにした移動式安全ネットの設置方法に関するものである。
【背景技術】
【０００２】
例えば、建物の梁上に折板屋根を葺く場合には、作業時に部品や工具等が地上まで落下するのを防止するための安全ネットを張設して行われる。
【０００３】
この種の安全ネットは、従来では、屋根葺工事の前に、一度に大面積部分をカバーできる範囲に張設されるもので、所定大面積のネットを梁の下側においてロープや係止具で張設する。
【０００４】
屋根工事面積が１枚のネット面積より広い場合は、数枚のネットを継ぎ足して使用する。又、１棟の屋根工事面積が極めて広い場合には、所定スパンごとに数回に分けて安全ネットを張設することもある。その場合は、屋根葺工事の終わった部分のネットを外して、それを次の屋根葺工事部分に転用する。
【０００５】
下記特許文献１は、安全ネットを張設するのに特別な足場を不要にでき、且つネット張設作業が簡単に行えるとともに、ネットの移転作業が容易に行えるようにしたものとして提案されたものである。
【特許文献１】特開平９−１１２０４１号公報
【０００６】
この特許文献１は、ネットを張設するのに連結材を使用し、その連結材を台車により梁の長さ方向に移動可能とするもので、台車は基台を梁上のタイトフレームの左右外側（梁幅方向外側）に跨がせた状態で車輪を梁上面に載せて設置される。
【発明の概要】
【発明が解決しようとする課題】
【０００７】
前記特許文献１による移動式安全ネットは、台車を使用するので車輪が通るスペースが必要であり、車輪付きだと機構が複雑になる。
【０００８】
また、長尺の連結材が台車に連結した形になるので装置が大掛かりになる。しかも、連結材という長尺部材を同時に複数本台車により移動させねばならないので、その操作も大変である。
【０００９】
本発明の目的は前記従来例の不都合を解消し、建物の梁上に折板による屋根葺工事を行う際に使用され、屋根葺作業中に順次梁の長さ方向に移動し得るような移動式安全ネットで、車輪などの転動部材を用いずとも簡単に安全ネットの移動ができ、しかもネットを張るための連結材という長尺部材を用いることなく安全ネットを張設できるので、このような長尺部材を移動させる手間もなく、全体として使用部材を少なくして、現場での作業を簡略化できる移動式安全ネットの設置方法を提供することにある。
【課題を解決するための手段】
【００１０】
前記目的を達成するため請求項１記載の本発明は、内側にタイトフレームの頂部が当接して、タイトフレーム上を滑らせつつ移動させることができるコの字状のスライド金物をネット取付治具として使用し、タイトフレームは地上で梁に先行取付けし、その際、梁の揚重用吊りピースがはみ出さない様にタイトフレームを設置し、該ネット取付治具に設けた押しピースを介してネットをネット取付治具間に張設することを要旨とするものである。
【００１１】
請求項１記載の本発明によれば、タイトフレームはこれをガイド片として用いるのではなく、コの字状のスライド金物を滑らせつつ移動させるレールとして用いることで、車輪を不要とし、構造を簡略化できる。
【００１２】
また、コの字状のスライド金物はネット取付治具として使用でき、ネットをネット取付治具間に直接張設することができるので、連結材という長尺部材は不要となる。
【００１３】
さらに、折板屋根を架けるためのタイトフレームは地上で梁に先行取付けすることで、高所作業を少なくしてかつネット取付治具のセットを迅速かつ安全に行うことができ、また、揚重の際に揚重用吊りピースがタイトフレームと緩衝してその存在が邪魔になることがない。
【００１４】
請求項２記載の本発明は、スライド金物は、先端部を外側に折り曲げて開かれた形状とすることを要旨とするものである。
【００１５】
請求項２記載の本発明によれば、スライド金物を前進させる際に先端部を外側に折り曲げて開かれた形状とすることでタイトフレームを取り込み易く、しかもタイトフレームの取付けが若干直線的でなかった場合でも、その直線精度を吸収できるので、セットが簡単である。
【００１６】
請求項３記載の本発明は、スライド金物の側面部に、ネットを隙間なく張るための屈曲棒による回転アームを突出するように取り付けたことを要旨とするものである。
【００１７】
請求項３記載の本発明によれば、コの字状のスライド金物はネット取付治具として使用でき、ネットをネット取付治具間に直接張設すると既設の折板屋根との間に隙間を生じるおそれがあるが、回転アームを突出するように取り付けたことで、回転アームでネットを張り出して張設でき、隙間を無くすことができる。また、回転アームは屈曲棒によるもので、スライド金物の移動時には回転させて跳ね上げ状態とすることにより、移動の支障にならないようにすることができる。
【００１８】
請求項４記載の本発明は、押しピースに着脱自在に掛止する先端を有する棒状部材を移動治具として、スライド金物に係合させさせることを要旨とするものである。
【００１９】
請求項４記載の本発明によれば、押し吊ピースに着脱自在に掛止する先端を有する棒状部材を移動治具として用いることで、作業員は身を乗り出さずにスライド金物を移動させることができる。また、移動治具はその先端で押しピースを挟み込むことで、掛脱を簡単に行うことができる。
【発明の効果】
【００２０】
以上述べたように本発明の移動式安全ネットの設置方法は、建物の梁上に折板による屋根葺工事を行う際に使用され、屋根葺作業中に順次梁の長さ方向に移動し得るような移動式安全ネットで、車輪などという転動部材を用いずともタイトフレームをレールとして利用することで簡単に安全ネットの移動ができ、しかも連結材という長尺部材なしで直接安全ネットを張設することができ、全体として使用部材を少なくして、現場での作業を簡略化できるものである。
【発明を実施するための形態】
【００２１】
以下、図面について本発明の実施の形態を詳細に説明する。図１は本発明の移動式安全ネットの設置方法の１実施形態を示す側面図で、本発明の移動式安全ネットは建物の鉄骨梁上に折板による屋根葺工事を行う際に使用され、屋根葺作業中に順次梁の長さ方向に移動し得るものである。
【００２２】
図中５は折板７，７・・で屋根葺をするときに使用する建物の鉄骨梁であり、Ｈ型鋼等が使用され、フランジ面が上下面となるようにして設置される。
【００２３】
鉄骨梁５の上面には、帯状板を山形および谷形が連続する波型に折曲して形成したタイトフレーム６を該タイトフレーム６の下端部を鉄骨梁５の上面の幅方向中央部において溶接等の手段により固定して取り付けるが、タイトフレーム６は地上で鉄骨梁に先行取付けをし、図２に示すようにその際、鉄骨梁５の揚重用吊りピース８をタイトフレーム６の面内に収め、はみ出さない様にタイトフレーム６を設置する。
【００２４】
ここでタイトフレームとは、折板構法で使用する部材で、建物躯体と屋根材である折板をつなぐものである。
【００２５】
屋根葺用の折板７は、断面逆台形状に折曲され、相互に隣接する折板７，７の幅方向縁部同士をタイトフレーム６上においてカシメ結合して設置される。
【００２６】
本発明は、内側にタイトフレーム６の頂部が当接して、タイトフレーム６上を滑らせつつ移動させることができるコの字状のスライド金物９をネット取付治具として使用する。
【００２７】
コの字状のスライド金物９は、左右両側板１１，１１と上板１２とで縦断面門型に形成しており、その内部を空間部とした。
【００２８】
また、上板１２の外側にＵ字形フックによる押しピース１５を複数適宜間隔で取り付ける。長尺なコの字状のスライド金物９において前後に位置する押しピース１５はなるべく端部に近づけて設けるのが望ましい。
【００２９】
さらに、スライド金物９は、先端部を上板１２がないものとし、左右両側板１１，１１を外側に折り曲げて開かれた形状とする。もしくは上板１２がある場合はこれも左右両側板１１，１１と同様に外側に折り曲げて先端部を開かれた形状とする。
【００３０】
前記スライド金物９は後方部において、側面部に軸受１６を設け、この軸受１６でネットを張るための鈎型の曲棒による回転アーム１７を突出するように取り付けるようにすることができる。
【００３１】
次に使用法について説明する。図３に示すように鉄骨梁５の上面にはタイトフレーム６が設置され、図示は省略するが順次折板７が葺かれていく。
【００３２】
工事中でまだ、折板７が葺かれていない鉄骨梁５の部分において、コの字状のスライド金物９をネット取付治具として内側にタイトフレーム６の頂部が当接するように載置し、該ネット取付治具に設けた押しピース１５を介してコの字状のスライド金物９間に、作業時に部品や工具等が地上まで落下するのを防止するための安全ネット１８を張設する。
【００３３】
その際、回転アーム１７により安全ネット１８を支承して安全ネット１８の端がネット取付治具よりも低い位置で張られるようにすれば、低い位置で張られた安全ネット１８の上で折板７を葺くことができ、施工した屋根との間に隙間を設けないですむ。また、この回転アーム１７により安全ネット１８を緩ませずに張ることができる。
【００３４】
このように安全ネット１８をスライド金物９によるネット取付治具間に張設した状態で、スライド金物９をタイトフレーム６上を滑らせつつ移動させることにより安全ネット１８を移動させることができる。
【００３５】
かかるスライド金物９の移動は手で行ってもよいが、図１に示すように二又、もしくは三つ又、円弧状に分かれた先端２６が押しピース１５に差し込まれて、挟み込み状態で掛止する棒状部材による移動治具２２を用いて、この移動治具２２で移動させるくようにすれば、少し離れた場所から安全に作業を行うことができる。
【００３６】
該移動治具２２は、回動自在状態で押しピース１５に先端が係止するので、前記スライド金物９の押し出しもしくは牽引動作はある程度の余裕をもって行うことができる。
【００３７】
図３に示すように鉄骨梁５には小梁２３やターンバックル２５を途中に介在させるブレース２４などが結合されており、これらは鉄骨梁５の上面と位置を同じくするが、前記回転アーム１７はスライド金物９の移動時には回転させて跳ね上げ状態とすることにより、安全ネット１８の端を持ち上げ状態として移動の支障にならないようにすることができる。
【００３８】
安全ネット１８のｂの部分（図３参照）は、複数の梁間を通して張り、ａの部分は梁―梁間に張る形態とすることができる。
【００３９】
また、回転アーム１７を用いずに安全ネット１８を緩みなく張設し、かつ隙間をなくす他の方法として、図４に示すように、押しピース１５を介して親綱１９を８の字掛けにしてスライド金物９のネット取付治具間に張設し、該親綱１９でネットを支承することもできる。なお、図４における真ん中の押しピース１５はこれを省略してもよい。
【００４０】
図中２０は親綱１９の端部に設けたカラビナ等の止め金具で、押しピース１５はこれをスライド金物９のなるべく端部に設けることで、並列するスライド金物９の端で親綱１９および安全ネット１８を水平に張る。
【００４１】
また、スライド金物９は、先端部を上板１２がないものとし、左右両側板１１，１１を外側に折り曲げて開かれた形状とするか、上板１２がある場合はこれも外側に折り曲げて開かれた形状とすることで、スライドさせ、連続して新たなタイトフレーム６を内部に取り込む場合に取り込み易いものとなる。
【図面の簡単な説明】
【００４２】
【図１】本発明の移動式安全ネットの設置方法の１実施形態を示す側面図である。
【図２】折板による屋根葺工事で使用する梁の斜視図である。
【図３】本発明の移動式安全ネットの設置方法の１実施形態を示す斜視図である。
【図４】本発明の移動式安全ネットの設置方法の第２実施形態を示す斜視図である。
【符号の説明】
【００４３】
１…台車            ２…連結材
３…移動式安全ネット
５…梁              ６…タイトフレーム
７…折板            ８…揚重用吊りピース
９…スライド金物
１０…基台          １１…側板
１２…上板          １５…押しピース
１６…軸受          １７…回転アーム
１８…安全ネット    １９…親綱
２２…移動治具
２３…小梁          ２４…ブレース
２５…ターンバックル
２６…先端
【図１】
0006506086.tif 000002
【図２】
0006506086.tif 000003
【図３】
0006506086.tif 000004
【図４】
0006506086.tif 000005